(57)【特許請求の範囲】
【請求項１】
複数の電池(31)と、この電池(31)と直列に接続している電流遮断素子(50)と、この電流遮断素子(50)と電池(31)を収納すると共に、互いに連結してなる複数のユニットケース(32)と、ユニットケース(32)が分離されて分解を検出してユニットケース(32)が分解されると分解信号を出力する分解検出スイッチ(36)、(76)と、この分解検出スイッチ(36)、(76)の分解信号で電流遮断素子(50)を遮断して電池(31)に流れる電流を遮断する制御回路(37)とを備え、
各々のユニットケース(32)が電池(31)を内蔵してなるパック電池。
【請求項２】
各々のユニットケース(32)が電池(31)と回路基板(38)を内蔵すると共に、組み立て状態で互いに接続されるコネクタ(51)を備えており、このコネクタ(51)を介してユニットケース(32)に収納している電池(31)を接続している請求項１に記載されるパック電池。
【請求項３】
分解検出スイッチ(36)がユニットケース(32)に設けたコネクタ(51)で構成され、ユニットケース(32)を分解してコネクタ(51)が分離されると分解検出スイッチ(36)がオフに切り変えられるようにしてなる請求項２に記載されるパック電池。
【請求項４】
電流遮断素子(50)がヒューズ(35)である請求項１に記載されるパック電池。
【請求項５】
制御回路(37)が、分解検出スイッチ(36)、(76)の分解信号で電流遮断素子(50)を遮断する遮断ＩＤを記憶するメモリ(43)を備える請求項１ないし４のいずれかに記載されるパック電池。
【請求項６】
制御回路(37)が、分解検出スイッチ(36)、(76)の分解信号で電流遮断素子(50)を遮断する遮断ＩＤを記憶するメモリ(43)を備え、このメモリ(43)が遮断ＩＤを書き換えできるメモリで、メモリ(43)の遮断ＩＤを書き換えてユニットケース(32)の分解時の電流遮断素子(50)の遮断を阻止するようにしてなる請求項１ないし４のいずれかに記載されるパック電池。
【請求項７】
複数の電池(31)と、この電池(31)と直列に接続している電流遮断素子(50)と、この電流
遮断素子(50)と電池(31)を電気接続すると共に、互いに連結してなる複数の回路基板(88)と、回路基板(88)の分解を検出して回路基板(88)が分解されると分解信号を出力する分解検出スイッチ(36)と、この分解検出スイッチ(36)の分解信号で電流遮断素子(50)を遮断して電池(31)に流れる電流を遮断する制御回路(37)とを備えてなるパック電池。
【発明の詳細な説明】
【技術分野】
【０００１】
本発明は、ケースを分解し、あるいは改造して安全性が低下するのを防止するパック電池に関する。
【背景技術】
【０００２】
電池や保護回路を内蔵するパック電池は、ユーザーがケースを分解、改造して安全性が低下するのを防止する必要がある。このことを実現するために、ケース表面に付着している外装ラベルに、ユーザーが剥した証拠が残るようにしている改ざんを防止する機能を設けたものが開発されている（特許文献１ないし３参照）。これらの公報に記載される外装ラベルは、改ざんされるとその証拠が残るので、故障や市場クレームが発生したときに原因を追求するのに役立つ。さらに、外装ラベルによって改ざんされた証拠が残ることをユーザーが予め知ることによって、改ざんしようと思わなくなるという抑制効果があり、その結果、改ざん防止につながっている。
【特許文献１】特開２００３−６８２６７号公報
【特許文献２】特開２００２−３１１８３６号公報
【特許文献３】特開２００３−１９５７６７号公報
【発明の開示】
【発明が解決しようとする課題】
【０００３】
以上の公報に記載される外装ラベルは、改ざんした証拠を残るようにはできるが、ユーザーが外装ラベルを剥して、ケースを分解し、さらに改造してケースを組み立てて電気機器にセットすると再び使用できる弊害がある。このため、ケースを分解して改造したパック電池の安全性を保証できない。
【０００４】
本発明は、さらにこの欠点を解決することを目的に開発されたものである。本発明の重要な目的は、ユーザーがケースを分解し、あるいは改造して電池の安全性が低下するのを確実に阻止できるパック電池を提供することにある。
【課題を解決するための手段】
【０００５】
本発明のパック電池は、前述の目的を達成するために以下の構成を備える。
パック電池は、複数の電池３１と、この電池３１と直列に接続している電流遮断素子５０と、この電流遮断素子５０と電池３１を収納すると共に、互いに連結してなる複数のユニットケース３２と、ユニットケース３２が分離されて分解を検出してユニットケース３２が分解されると分解信号を出力する分解検出スイッチ３６、７６と、この分解検出スイッチ３６、７６の分解信号で電流遮断素子５０を遮断して電池３１に流れる電流を遮断する制御回路３７とを備えている。そして、各々のユニットケース３２が電池３１を内蔵している。
【０００６】
本発明のパック電池は、各々のユニットケース３２に電池３１と回路基板３８を内蔵すると共に、組み立て状態で互いに接続されるコネクタ５１を備え、このコネクタ５１を介してユニットケース３２に収納している電池３１を接続することができる。さらに、本発明のパック電池は、分解検出スイッチ３６をユニットケース３２に設けたコネクタ５１で構成し、ユニットケース３２を分解してコネクタ５１が分離されると分解検出スイッチ３６がオフに切り変えられるようにすることができる。
【０００７】
本発明のパック電池は、電流遮断素子５０を、ヒューズ３５とすることができる。本発明のパック電池は、制御回路３７が、分解検出スイッチ３６、７６の分解信号で電流遮断素子５０を遮断する遮断ＩＤを記憶するメモリ４３を備えることができる。さらに、本発明のパック電池は、遮断ＩＤを記憶するメモリ４３を、書き換えできるメモリとし、メモリ４３の遮断ＩＤを書き換えて、ユニットケース３２の分解時において、電流遮断素子５０の遮断を阻止することができる。
【０００８】
本発明の請求項７のパック電池は、複数の電池３１と、この電池３１と直列に接続している電流遮断素子５０と、この電流遮断素子５０と電池３１を電気接続すると共に、互いに連結してなる複数の回路基板８８と、回路基板８８の分解を検出して回路基板８８が分解されると分解信号を出力する分解検出スイッチ３６と、この分解検出スイッチ３６の分解信号で電流遮断素子５０を遮断して電池３１に流れる電流を遮断する制御回路３７とを備えている。
【発明の効果】
【０００９】
本発明のパック電池は、ユーザーがケースを分離して分解し、あるいは改造して電池の安全性が低下するのを確実に阻止できる特徴がある。それは、ユーザーがケースを分解すると、このことを分解検出スイッチが検出して分解信号を出力し、この分解信号を制御回路が検出して、電流遮断素子を遮断してパック電池を強制的に使用できない状態とするからである
【００１０】
また、本発明の請求項２のパック電池は、簡単かつ容易に、しかも能率よく組み立てできる特徴がある。それは、このパック電池が、各々のユニットケースに電池を内蔵すると共に、組み立て状態では互いに接続されるコネクタをユニットケースに設けており、ユニットケースを連結する状態では、ユニットケースに収納する電池をコネクタで接続するからである。この構造のパック電池は、各々のユニットケースを別々に製作し、これを連結して組み立てできるので、簡単に組み立てできる。
【００１１】
また、本発明の請求項３のパック電池は、ユニットケースに設けたコネクタを分解検出スイッチに併用する。このパック電池は、ケースの分解を検出する分解検出スイッチを別に設ける必要がなく、構造を簡単にして製造コストを安価にできる。
【００１２】
また、本発明の請求項６のパック電池は、分解検出スイッチから出力される分解信号で電流遮断素子を遮断する遮断ＩＤを記憶するメモリを備えると共に、このメモリを書き換えできるメモリとしている。このため、製造時や修理時においては、メモリの遮断ＩＤを書き換えて、ユニットケース分解時の分解信号によっても電流遮断素子を遮断しない状態とし、また、製造後や修理後には、正規の遮断ＩＤに書き換えて、分解信号によって電流遮断素子を遮断するようにできる。このため、メーカーによる製造時や修理時ではユニットケースが分解されても、電流遮断素子を遮断せず、ユーザーがケースを分解した状態では電流遮断素子を遮断して使用できない状態にできる。
【００１３】
本発明の請求項７のパック電池は、ユーザーが改造して、電池の安全性が低下するのを有効に防止できる特長がある。それは、このパック電池が、複数の回路基板を互いに連結した構造としており、ユーザーが回路基板を分解すると、このことを分解検出スイッチが検出して分解信号を出力し、この分解信号を制御回路が検出して、電流遮断素子を遮断してパック電池を強制的に使用できなくするからである。
【発明を実施するための最良の形態】
【００１４】
以下、本発明の実施例を図面に基づいて説明する。ただし、以下に示す実施例は、本発明の技術思想を具体化するためのパック電池を例示するものであって、本発明はパック電池を以下のものに特定しない。
【００１５】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１６】
図１ないし図４に示すパック電池は、電池３１と直列に接続している電流遮断素子５０と、この電流遮断素子５０を介して充放電される電池３１を収納している複数のユニットケース３２と、ユニットケース３２の分解を検出してユニットケース３２が分解されると分解信号を出力する分解検出スイッチ３６と、この分解検出スイッチ３６の分解信号で電流遮断素子５０を遮断して電池３１に流れる電流を遮断する制御回路３７とを備える。図のパック電池は、第１のユニットケース３２Ａと第２のユニットケース３２Ｂからなる２組のユニットケース３２を連結している。ただし、本発明のパック電池は、３組以上のユニットケースを連結することもできる。
【００１７】
各々のユニットケース３２は、電池３１と回路基板３８を内蔵している。図のパック電池は、各々のユニットケース３２に３本の円筒形電池を並列に接続して内蔵している。ただし、本発明のパック電池は、ユニットケースに、２本又は４本以上の電池を内蔵することもできる。また、内蔵する電池を直列又は並列に接続することもできる。電池３１は、リチウムイオン二次電池である。ただし、電池は、ニッケル水素電池やニッケルカドミウム電池等の充電できる全ての電池とすることができる。
【００１８】
図１ないし図４のパック電池は、第１のユニットケース３２Ａと第２のユニットケース３２Ｂを連結して組み立てられる。第１のユニットケース３２Ａと第２のユニットケース３２Ｂは、プラスチックを成形して製作される。ただ、金属板で製作することもできる。第１のユニットケース３２Ａは、略平たい箱型で、３本の電池３１と回路基板３８Ａを閉鎖構造の内部に収納すると共に、第２のユニットケース３２Ｂを収納する上方開口の収納部５２（略直方体の空間の収納部である）を設けている。図１と図２において、第１のユニットケース３２Ａは、右半分に上方を開口する収納部５２を設けて、左半分に３本の電池３１を収納する閉鎖室５３を設けている。第１のユニットケース３２Ａは、閉鎖室５３に電池３１と回路基板３８Ａを入れて、上方の開口部を閉塞するように蓋材５４を固定している。
【００１９】
第２のユニットケース３２Ｂは、第１のユニットケース３２Ａの収納部５２に嵌着できる外形としている。本実施例では、略平たい箱型の形状である。さらに、第２のユニットケース３２Ｂは、内部に閉鎖室５６を設けて、ここに３本の電池３１を収納している。これらの電池３１は、並列に接続される。第１のユニットケース３２Ａの収納部５２に、第２のユニットケース３２Ｂを入れて固定して、パック電池が組み立てられる。第１のユニットケース３２Ａと第２のユニットケース３２Ｂは、係止構造で、あるいは、ネジ止めして互いに連結して固定される。
【００２０】
第１のユニットケース３２Ａの収納部５２に第２のユニットケース３２Ｂを入れて固定する状態で、第１のユニットケース３２Ａと第２のユニットケース３２Ｂは、コネクタ５１を介して接続される。第２のユニットケース３２Ｂは、コネクタ５１Ｂを設けるために、第１のユニットケース３２Ａに連結される延在した連結部５７を突出して設けている。第１のユニットケース３２Ａは、第２のユニットケース３２Ｂの連結部５７を嵌着する嵌着凹部５５を、蓋材５４の上面に設けている。第２のユニットケース３２Ｂは、連結部５７にコネクタ５１Ｂを固定し、第１のユニットケース３２Ａは、この連結部５７を案内する嵌着凹部５５にコネクタ５１Ａを固定している。連結部５７と嵌着凹部５５に設けている一対のコネクタ５１Ｂ、５１Ａは、第１のユニットケース３２Ａの収納部５２に第２のユニットケース３２Ｂを入れて連結する状態で互いに接続される。
【００２１】
コネクタ５１は、第１のユニットケース３２Ａに内蔵される電池３１と、第２のユニットケース３２Ｂに内蔵される電池３１を直列に接続する。図４のコネクタ５１は、複数の接点６０を介して第１のユニットケース３２Ａと第２のユニットケース３２Ｂに内蔵される電池３１を直列に接続する。この構造は、電池３１を安定して直列に接続できると共に、接続部の接触抵抗を小さくできる。
【００２２】
パック電池の回路図を図４に示す。この図のパック電池は、第１のユニットケース３２Ａと第２のユニットケース３２Ｂに各々３個の電池３１を入れて並列に接続し、これを電流遮断素子５０を介して直列に接続している。すなわち、この図のパック電池は、６個の電池３１を３並、２直に接続している。第２のユニットケース３２Ｂは、内蔵する回路基板３８Ｂに、電流遮断素子５０であるヒューズ３５と制御回路３７を実装している。
【００２３】
パック電池は、回路基板３８に電池３１の保護回路３９も実装している。保護回路３９は、充電電流を制御する充電スイッチ３３と、放電電流を制御する放電スイッチ３４と、過電流とユニットケース３２の分解で溶断される電流遮断素子５０であるヒューズ３５と、充電スイッチ３３及び放電スイッチ３４のオンオフを制御し、また過電流を検出してヒューズ３５を溶断する制御回路３７とを備える。
【００２４】
図のパック電池は、充電スイッチ３３及び放電スイッチ３４と温度センサー４２Ａを第１のユニットケース３２Ａに内蔵する回路基板３８Ａに実装し、電流遮断素子５０のヒューズ３５と制御回路３７と温度センサー４２Ｂを第２のユニットケース３２Ｂに内蔵する回路基板３８Ｂに実装している。
【００２５】
充電スイッチ３３と放電スイッチ３４は直列に接続されて、第１のユニットケース３２Ａの電池３１の正極と出力端子４０との間に接続している。充電スイッチ３３と放電スイッチ３４はスイッチング素子５９である。図に示すスイッチング素子５９は、ＦＥＴである。ただ、スイッチング素子である充電スイッチと放電スイッチは、制御回路の信号でオンオフに切り換えできる全ての素子、たとえばバイポーラトランジスター等の半導体スイッチング素子やリレー等も使用できる。
【００２６】
ヒューズ３５は、電池３１と直列に接続されており、過電流で溶断され、さらに制御回路３７からの信号で強制的に溶断される。ヒューズ３５を強制的に溶断するために、図の保護回路３９は、ヒューズ３５の遮断回路４７を備えている。図の遮断回路４７は、ヒューズ３５を加熱して溶断する加熱抵抗４８と、この加熱抵抗４８への通電を制御するスイッチング素子４９とからなる。この遮断回路４７は、加熱抵抗４８をヒューズ３５に接近して配設してヒューズ３５に熱的に結合しており、加熱抵抗４８にＦＥＴ等のスイッチング素子４９を直列接続して、このスイッチング素子４９を制御回路３７でオンオフに制御している。図の保護回路３９は、加熱抵抗４８とスイッチング素子４９とからなる遮断回路４７を、第２のユニットケース３２Ｂの電池３１の正極側と負極側との間に接続し、制御回路３７でスイッチング素子４９であるＦＥＴのゲート信号を制御している。制御回路３７がスイッチング素子４９をオンに切り換えると、第２のユニットケース３２Ｂの電池３１から加熱抵抗４８に電流が流れ、加熱抵抗４８がジュール熱で加熱され、これがヒューズ３５を加熱して溶断する。これにより、これ以後、パック電池の使用をできなくすることができる。
【００２７】
充電スイッチ３３は、電池３１が満充電になるとオンからオフに切り換えられて、電池３１の過充電を防止する。また、放電スイッチ３４は、電池３１が所定のレベルまで完全に放電されるとオフに切り換えられて、電池３１の過放電を防止する。電池３１の満充電と完全に放電されたことは制御回路３７で検出される。したがって、制御回路３７は、電池３１に流れる電流を検出し、また電圧を検出して、電池３１の残容量を演算している。電池３１の電流を検出するために、保護回路３９は、電池３１と直列に接続している電流検出抵抗４１を備える。この電流検出抵抗４１の両端の電圧を検出して、電池３１に流れる充電電流と、放電電流を判別して検出する。各種のデータのアナログ値は、Ａ／Ｄ変換部４４を利用して、デジタル値で制御回路３７に入力される。
【００２８】
さらに、図４のパック電池は、電池温度を検出する温度センサー４２を備える。温度センサー４２は、電池３１に接近して熱結合状態で配設されるサーミスタである。温度センサー４２は、電池３１の温度で電気抵抗が変化して電池温度を検出する。制御回路３７は、温度センサー４２で検出される電池温度が設定温度よりも高くなると、充電状態にあっては充電スイッチ３３をオフに、放電状態にあっては放電スイッチ３４をオフに切り換えて充電や放電を停止する。また、電池温度が異常に高くなると、ヒューズ３５を溶断して充放電を停止する。
【００２９】
さらに、この図のパック電池は、第１のユニットケース３２Ａと第２のユニットケース３２Ｂの分解を検出する分解検出スイッチ３６を、ユニットケース３２を連結するコネクタ５１で構成している。第２のユニットケース３２Ｂを第１のユニットケース３２Ａから分離してユニットケース３２が分解されると、コネクタ５１が分離されて、分解検出スイッチ３６はオフに切り変えられる。図４の回路図に示すパック電池は、第１のユニットケース３２Ａのコネクタ５１Ａに一対の短絡接点６１を設けている。短絡接点６１は、短絡するように接続している。一対の短絡接点６１は、第２のユニットケース３２Ｂのコネクタ５１Ｂの検出接点６２に接続される。この接続構造の分解検出スイッチ３６は、第１のユニットケース３２Ａと第２のユニットケース３２Ｂを連結する状態で、検出接点６２が短絡接点６１で短絡されてオン状態となる。ユニットケース３２が分解されると、検出接点６２が短絡接点６１から離れて短絡されなくなり、オフに切り変えられる。したがって、図のコネクタ５１で構成される分解検出スイッチ３６は、ユニットケース３２を分解するときに分解信号としてオフ信号を出力する。ユニットケース３２を分解しない状態では、オン信号を出力している。例えば、次のようにして、分解を検出することができる。図４に示すように、制御回路３７と短絡接点６２との間に、別途設けられる電源４５より抵抗４６を介して電力を供給する。第１のユニットケース３２Ａと第２のユニットケース３２Ｂが連結されて、コネクタ５１Ａ、５１Ｂが接続された状態では、検出接点６２が短絡接点６１で短絡されるので、制御回路３７には０Ｖが入力される。一方、第１のユニットケース３２Ａと第２のユニットケース３２Ｂが分解されて、コネクタ５１Ａ、５１Ｂが分離された状態では、検出接点６２が短絡されなくなり、制御回路３７に電源４５の電圧が入力される。したがって、このような電圧を検出することで、分解信号として検出して、制御回路３７は分解を検出することができる。
【００３０】
ただし、本発明のパック電池は、図５と図６に示すように、ユニットケース３２の分解を、リミットスイッチやマイクロスイッチのように、ユニットケース３２の分解によって接点が物理的にオンオフに切り換えられる分解検出スイッチ７６で検出することもできる。このパック電池は、リミットスイッチやマイクロスイッチの分解検出スイッチ７６を、分解されるユニットケース３２がプランジャー７７を押す位置に配置する。すなわち、図５に示すように、ユニットケース３２を分解しない状態では、分解検出スイッチ７６のプランジャー７７がユニットケース３２に押されてオンとなり、図６に示すように、ユニットケース３２が分解されてプランジャー７７が押されなくなると、オフに切り換えられる位置に配置される。この分解検出スイッチ７６は、分解信号をオフ信号とするが、ユニットケースのプランジャーを押す状態でオフとして、分解信号をオン信号とすることもできる。リミットスイッチやマイクロスイッチのように、ユニットケース３２の分解で接点をオンオフに切り換える分解検出スイッチ７６を備えるパック電池は、ユニットケース３２を非透光性の材料とする必要がなく、また外光が入射する構造として、ユニットケース３２の分解を検出できる。また、接点をオンオフさせる分解信号を出力するので、ユニットケース３２の分解を検出するための電子回路を簡単にできる特徴がある。
【００３１】
制御回路３７は、分解検出スイッチ３６の分解信号を検出すると、電流遮断素子５０を制御して電池３１に流れる電流を遮断する。電流遮断素子５０は、制御回路３７で制御されて溶断されるヒューズ３５である。制御回路３７は、分解検出スイッチ３６の分解信号を検出すると、上述のように遮断回路４７のスイッチング素子４９をオンとし、ヒューズ３５を溶断する状態としてパック電池を使用できない状態とする。
【００３２】
ただ、本発明のパック電池は、電流遮断素子を、制御回路でオンオフに制御される充電スイッチや放電スイッチであるスイッチング素子とすることもできる。このパック電池は、図示しないが、充電スイッチと放電スイッチを、制御回路を実装している回路基板に実装することによって実現できる。充電スイッチと放電スイッチは、たとえば、第２のユニットケースに配設される電池のプラス側あるいはマイナス側に接続されて、制御回路でオンオフが制御される。このパック電池は、制御回路が分解検出スイッチの分解信号を検出すると、充電スイッチをオフに切り換えて充電できない状態とし、あるいは放電スイッチをオフに切り換えて放電できない状態としてパック電池を使用できない状態とする。この制御回路は、分解検出スイッチの分解信号を検出すると、好ましくは、充電スイッチをオフ、放電スイッチをオフ、ヒューズを溶断する状態としてパック電池を使用できない状態とすることができる。ただ、制御回路は、分解信号を検出して、充電スイッチと放電スイッチの何れかのスイッチング素子をオフとすると共に、ヒューズを溶断してパック電池を使用できない状態とすることもできる。
【００３３】
さらに、制御回路３７は、メモリ４３を備えている。このメモリ４３は、書き換えできるメモリである。このメモリ４３として、たとえば、ＥＥＰＲＯＭ等が使用できる。このメモリ４３には、識別データとして識別ＩＤ（＝Identification）を記憶している。メモリ４３に記憶される識別ＩＤは、分解検出スイッチ３６から出力される分解信号で電流遮断素子５０を遮断する遮断ＩＤである。このパック電池は、例えば、出荷前の製造時や、出荷後における正規の修理時において、ユニットケース３２を分解する必要があるとき、メモリ４３の遮断ＩＤを書き換えることによって、ユニットケース３２を分解しても、電流遮断素子５０を遮断しないように、すなわち、ヒューズ３５を溶断しないように制御できる。このパック電池は、製造時や修理時には、メモリ４３の遮断ＩＤを特定の値に書き換えて、ユニットケース３２を分解してもヒューズ３５を溶断しないようにする。ここで、メモリ４３に書き換える特定の値とは、分解検出スイッチ３６の分解信号で電流遮断素子５０を遮断する遮断ＩＤ以外の信号とし、あるいは、分解検出スイッチ３６の分解信号を検出しても電流遮断素子５０を遮断しない特定の信号とすることができる。このパック電池は、製造後の出荷時や修理後に、メモリ４３の遮断ＩＤを正規の値に書き換えることによって、その後、ユーザーがユニットケース３２を分解すると、スイッチング素子４９をオンとして、ヒューズ３５を溶断するように制御する。したがって、メーカーによる製造時や修理時ではユニットケース３２が分解されても、ヒューズ３５を溶断せず、ユーザーがユニットケース３２を分解した状態ではヒューズ３５を溶断して使用できない状態にできる。
上記の例では、パック電池は、製造時や修理時には、メモリ４３の遮断ＩＤを特定の値に書き換えて、ユニットケース３２を分解してもヒューズ３５を溶断しないようにしているが、逆に、パック電池は、製造時や修理時には、メモリ４３の遮断ＩＤを特定の値以外に書き換えて、特定の値以外の値でヒューズ３５を溶断しないようにし、ユーザーがユニットケース３２を分解するとき、特定の値でヒューズ３５を溶断してもよい。
【００３４】
メモリ４３への識別ＩＤの入力は、パック電池に設けたテスト端子６３から行うことができる。ただ、識別ＩＤは、出力端子４０に交流信号を入力して、メモリ４３に入力することもできる。このパック電池は、たとえば、図４の鎖線で示すように、出力端子４０と制御回路３７との間にコンデンサ６４を接続して、出力端子４０から入力される交流信号で識別ＩＤを入力できる。
【００３５】
さらに、制御回路３７は、分解検出スイッチ３６から出力される分解信号をメモリ４３に記憶することができる。このパック電池は、メモリ４３に記憶される分解信号からユニットケース３２が分解されたことを経歴として残すことができる。このパック電池は、メモリ４３に記憶される分解信号から、ユーザーがユニットケース３２を分解したかどうかを判定できる。
【００３６】
以上の実施例のパック電池は、ユニットケース３２の分解を分解検出スイッチ３６で検出する構造としており、第１のユニットケース３２Ａと第２のユニットケース３２Ｂが分解されると、制御回路３７が電流遮断素子５０を遮断するように制御している。ただ、本発明のパック電池は、図７の回路図に示すように、複数の回路基板８８を互いに連結する構造として、この回路基板８８の分解を、分解検出スイッチ３６で検出して電流遮断素子５０を遮断することもできる。なお、図７において、前述の実施例と同じ構成要素については、同符号を付してその詳細な説明を省略している。
【００３７】
図７に示すパック電池は、第１の回路基板８８Ａと第２の回路基板８８Ｂとをコネクタ５１を介して連結しており、第１の回路基板８８Ａと第２の回路基板８８Ｂが分解されると分解検出スイッチ３６がこのことを検出して、分解信号を出力するようにしている。この分解検出スイッチ３６には、前述の実施例と同様に、コネクタ５１Ａ、５１Ｂが分離されるとオフに切り換えられるものが使用できる。回路基板８８には、たとえば、プリント基板が使用できる。このパック電池は、互いに連結してなる回路基板８８が分解されると、分解検出スイッチ３６の分解信号で制御回路３７が電流遮断素子５０を遮断して、パック電池を強制的に使用できない状態とする。したがって、このパック電池も、ユーザーに改造されて、電池の安全性が低下するのを有効に防止できる。
【図面の簡単な説明】
【００３８】
【図１】本発明の一実施例にかかるパック電池の概略断面図である。
【図２】図１に示すパック電池を分解した状態を示す分解断面図である。
【図３】図１に示すパック電池のＡ−Ａ線断面図である。
【図４】図１に示すパック電池の回路図である。
【図５】本発明の他の実施例にかかるパック電池の概略断面図である。
【図６】図５に示すパック電池を分解した状態を示す分解断面図である。
【図７】本発明の他の実施例にかかるパック電池の回路図である。
【符号の説明】
【００３９】
３１…電池
３２…ユニットケース          ３２Ａ…第１のユニットケース
３２Ｂ…第２のユニットケース
３３…充電スイッチ
３４…放電スイッチ
３５…ヒューズ
３６…分解検出スイッチ
３７…制御回路
３８…回路基板                ３８Ａ…回路基板
３８Ｂ…回路基板
３９…保護回路
４０…出力端子
４１…電流検出抵抗
４２…温度センサー            ４２Ａ…温度センサー
４２Ｂ…温度センサー
４３…メモリ
４４…Ａ／Ｄ変換部
４５…電源
４６…抵抗
４７…遮断回路
４８…加熱抵抗
４９…スイッチング素子
５０…電流遮断素子
５１…コネクタ                ５１Ａ…コネクタ
５１Ｂ…コネクタ
５２…収納部
５３…閉鎖室
５４…蓋材
５５…嵌着凹部
５６…閉鎖室
５７…連結部
５９…スイッチング素子
６０…接点
６１…短絡接点
６２…検出接点
６３…テスト端子
６４…コンデンサ
７６…分解検出スイッチ
７７…プランジャー
８８…回路基板                ８８Ａ…回路基板
８８Ｂ…回路基板
【図１】
0005173149.tif 000002
【図２】
0005173149.tif 000003
【図３】
0005173149.tif 000004
【図４】
0005173149.tif 000005
【図５】
0005173149.tif 000006
【図６】
0005173149.tif 000007
【図７】
0005173149.tif 000008